(57)【要約】【課題】  手摺子に後から飾りを取付けることで簡単にデザインを変更できる手摺の提供。【解決手段】  手摺材１と、手摺子２ａ，２ｂと、手摺材と手摺子を連結する連結部材３を備え、連結部材３は、手摺材１に回動可能に連結してあるとともに、手摺子２ａ，２ｂの上端部に固定してあり、手摺子２ａ，２ｂとの固定を解除して回動させることで連結部材３が手摺子２ａ，２ｂと分離する。【選択図】      図１−２
2011202376.tif 000002
【特許請求の範囲】
【請求項１】
手摺材と、手摺子と、手摺材と手摺子を連結する連結部材を備え、連結部材は、手摺材に回動可能に連結してあるとともに、手摺子の上端部に固定してあり、手摺子との固定を解除して回動させることで連結部材が手摺子と分離することを特徴とする手摺。
【請求項２】
連結部材と手摺子との間にスペーサーを設けてあることを特徴とする請求項１記載の手摺。
【請求項３】
連結部材は、手摺材の長手方向に直交する水平な軸回りに回動可能であることを特徴とする請求項２記載の手摺。
【請求項４】
連結部材は、手摺子の軸心からずれた位置にある垂直な軸回りに回動可能に設けてあることを特徴とする請求項１又は２記載の手摺。
【請求項５】
連結部材は、手摺材の長手方向と平行な軸回りに回動可能に設けてあることを特徴とする請求項２記載の手摺。
【請求項６】
連結部材は、手摺子の軸心からずれた位置にあり且つ手摺材の長手方向と平行な軸回りに回動可能に設けてあることを特徴とする請求項１又は２記載の手摺。
【発明の詳細な説明】
【技術分野】
【０００１】
本発明は、階段等に設けられる手摺材と手摺子とを備えた手摺に関する。
【背景技術】
【０００２】
従来の階段等の手摺として、手摺材と手摺子とを溶接や釘等で一体化したものがあり、そのような手摺のデザインを変更するには全体を交換する必要があり、それには多大な費用と手間がかかる。
特許文献１には、階段の踏み板に手摺子１２を起立して設け、手摺子１２の上端部に連結部材を介して手摺材１を架設した階段用の手摺が記載されている。連結部材は、特許文献１の第４，５図に示されているように、手摺材１の下面に当接してネジ止めされる取付板８の下方に略球形の受体６を有すると共に、受体６にねじ軸４が横軸１５で回動自在に連結されており、手摺子の上端部に埋め込んだナット３に連結部材のねじ軸４をねじ込み、且つ手摺子の上端部に取付けたキャップ５の上面のくぼみに受体６を当接して、手摺子と手摺材とを連結している。
このような手摺において手摺子は、木材を削ったり金属の鋳物で一体成形するなどして装飾性を持たせているが、後から手摺子のデザインを変更したい場合には、手摺子を取外して交換するしかなかった。上述のように、手摺子と手摺材との連結部材は、ねじ軸４を手摺子１２に上方からねじ込んでいるため、手摺材１を取外さなければ連結部材を手摺子１２から分離することができず、そのため手摺子の交換さえ簡単に行えない。
また、手摺子１２に飾りを取付けて装飾することが考えられるが、上述のような手摺では手摺材１を取外さなければ連結部材を手摺子１２から分離できず、手摺子１２に上方から飾りを嵌めることができないので、後から手摺子に飾りを取付けるのは容易ではなく、誰にでも行えるような作業ではなかった。したがって、手摺のデザインを変えるには大変手間と費用がかかる。
【先行技術文献】
【特許文献】
【０００３】
【特許文献１】特開平４−１９４２５６号公報
【発明の概要】
【発明が解決しようとする課題】
【０００４】
本発明は以上に述べた実情に鑑み、手摺子に後から飾りを取付けることで簡単にデザインを変更できる手摺の提供を目的とする。
【課題を解決するための手段】
【０００５】
上記の課題を達成するために請求項１記載の発明による手摺は、手摺材と、手摺子と、手摺材と手摺子を連結する連結部材を備え、連結部材は、手摺材に回動可能に連結してあるとともに、手摺子の上端部に固定してあり、手摺子との固定を解除して回動させることで連結部材が手摺子と分離することを特徴とする。
【０００６】
請求項２記載の発明による手摺は、請求項１記載の発明の構成に加え、連結部材と手摺子との間にスペーサーを設けてあることを特徴とする。
【０００７】
請求項３記載の発明による手摺は、請求項２記載の発明の構成に加え、連結部材は、手摺材の長手方向に直交する水平な軸回りに回動可能であることを特徴とする。
【０００８】
請求項４記載の発明による手摺は、請求項１又は２記載の発明の構成に加え、連結部材は、手摺子の軸心からずれた位置にある垂直な軸回りに回動可能に設けてあることを特徴とする。
【０００９】
請求項５記載の発明による手摺は、請求項２記載の発明の構成に加え、連結部材は、手摺材の長手方向と平行な軸回りに回動可能に設けてあることを特徴とする。
【００１０】
請求項６記載の発明による手摺は、請求項１又は２記載の発明の構成に加え、連結部材は、手摺子の軸心からずれた位置にあり且つ手摺材の長手方向と平行な軸回りに回動可能に設けてあることを特徴とする。
【発明の効果】
【００１１】
請求項１記載の発明による手摺は、手摺材と手摺子を連結する連結部材が、手摺材に回動可能に連結してあるとともに、手摺子の上端部に固定してあり、手摺子との固定を解除して回動させることで連結部材が手摺子と分離するため、手摺材及び連結部材を取外すことなく、連結部材の手摺子との固定を解除するだけで手摺子に上方からリング状の飾りを嵌めることができ、これにより手摺子のデザインを簡単に変更することができる。
【００１２】
請求項２記載の発明による手摺は、連結部材と手摺子との間にスペーサーを設けてあるので、スペーサーを外すことで連結部材と手摺子との間に隙間ができるため、連結部材を回動させて手摺子と分離するのが容易になる。
【００１３】
請求項３記載の発明による手摺は、連結部材を手摺材の長手方向に直交する水平な軸回りに回動可能に設けたことで、手摺材の角度の違いに対応できる。
【００１４】
請求項４記載の発明による手摺は、連結部材を手摺子の軸心からずれた位置にある垂直な軸回りに回動可能に設けたので、連結部材を回動させる際に連結部材が手摺子と干渉せずに容易に回動させられ、また回動させると連結部材が手摺子と分離し、手摺子に飾りを嵌めるのが容易である。
【００１５】
請求項５記載の発明による手摺は、連結部材を手摺材の長手方向と平行な軸回りに回動可能に設けたので、手摺子との固定を解除して連結部材を回動させると連結部材が手摺子と分離し、手摺子に上方からリング状の飾りを嵌めることができる。また、連結部材が手摺材の長手方向と平行な軸回りに回動可能に設けてあることで、手摺材の配置位置を調節することができる。
【００１６】
請求項６記載の発明による手摺は、連結部材の回動軸が手摺子の軸心からずれた位置にあるため、連結部材の手摺子との固定を解除するのが容易であり、また連結部材を上向きに回動させることで、連結部材が手摺子と干渉するのを防ぐことができる。さらに、連結部材が手摺材の長手方向と平行な軸回りに回動可能に設けてあることで、手摺材の配置位置を調節することができる。
【図面の簡単な説明】
【００１７】
【図１−１】手摺子に飾りを後付けする際の手順を順に示す斜視図である。
【図１−２】手摺子に飾りを後付けする際の手順（図１−１の続き）を順に示す斜視図である。
【図２】本発明の手摺の一実施形態を示す正面図である。
【図３】（ａ）は図２のＡ部拡大図であり、（ｂ）は（ａ）のＣ−Ｃ断面図である。
【図４】（ａ）は図２のＢ部拡大図であり、（ｂ）は（ａ）のＤ−Ｄ断面図である。
【図５】同手摺の正面図であって、飾りの配置を変えてデザインを変更した例を示す。
【図６】（ａ）は本発明の手摺の他の実施形態を示す正面図、（ｂ）は同手摺の側面図である。
【図７】（ａ）は連結部材の他の実施形態を示す正面図であり、（ｂ）は（ａ）のＥ−Ｅ断面図である。
【図８】図７（ａ）のＦ−Ｆ断面図である。
【図９】（ａ）は連結部材のさらに別の実施形態を示す正面図、（ｂ）は側面図である。
【発明を実施するための形態】
【００１８】
以下、本発明の実施の形態を図面に基づいて説明する。図２〜４は、本発明の手摺の一実施形態であって、階段１０に取付けた手摺の例を示している。本手摺は、階段１０の側端部に沿って複数の手摺子２ａ，２ｂ，２ｂ，…が間隔をおいて鉛直に起立して設けてあり、手摺子２ａ，２ｂ，２ｂ，…の上端部に連結部材３を介して手摺材１が架設してある。手摺子２ａ，２ｂは、アルミの丸棒を使用しており、両端の手摺子２ａは直径４０ｍｍ、中間の手摺子２ｂは直径２０ｍｍと細くなっている。各手摺子２ａ，２ｂは、下端部を金具１１とネジ１２で階段１０の踏み板上面に固定してある。手摺材１には木の丸棒を使用している。
【００１９】
手摺材１には、図３に示すように、連結部材３と繋ぐための連結ベース７が取付けてある。連結ベース７は、手摺材１の下方に垂下する連結部１３と、連結部１３より手摺材１の外周に沿って円弧状にのびる取付部１４を有し、取付部１４に斜め上向きにネジ１５を手摺材１にねじ込み、手摺材１に固定してある。連結部材３は、平面視略円形のベース部１６と、ベース部１６より内側（通路側）に向けてのびる略Ｌ字形に曲がったアーム部１７とを有しており、アーム部１７の先端部外側に手摺材１に固定した連結ベース７の連結部１３を当接し、内側からのネジ５（請求項３中の「手摺材の長手方向に直交する水平な軸」に相当）で連結ベース７と連結してある。よってネジ５を緩めると、連結部材３が手摺材１に対してネジ５を支点に回動自在となり、これにより本連結部材３は手摺材１の角度変化に対応できる。連結部材３のベース部１６には、中心にボルト挿通孔１８及びザグリ穴１９が形成してあり、ベース部１６の下面と手摺子２ｂ上端面との間にスペーサー２０を挟み、上方からベース部１６に挿通した六角ボルト４のネジ部を手摺子２ｂの中心に設けてある孔２１にねじ込んで、ベース部１６を手摺子２ｂに固定している。アーム部１７が内側に向けて設けてあることで、手摺材１は手摺子２ｂの軸心よりも内側にずれた位置に配置されており、そのため階段１０を上り下りする人が手摺材１につかまりやすくなっている。
図３は、中間の細い手摺子２ｂ用の連結部材３を示しているが、図４に示すように、両端の太い手摺子２ａ用の連結部材３も、スペーサー２０を違わせただけで、同一のものを使用している。
【００２０】
図２に示すように、中間の手摺子２ｂには飾り６が取付けてあり、これにより手摺子２ｂにデザイン性をもたせている。飾り６は、図１−２に示すように、手摺子２ｂの外周に嵌めるリング状のものであり、上部と下部に傾斜面部２２を設け、上下端に向かうにつれて外径を細くしてあり、中間にくびれ部２３が設けてある。飾り６の中心に上下に貫通して設けた手摺子挿通孔２４は、手摺子２ｂの外径よりも若干大きく形成してある。
【００２１】
飾り６は、手摺子２ｂに任意に取付けられるものであって、手摺材１を架設する前に予め取付けることもできるが、後から住人が後付けすることもできる。飾り６を後付けする際の手順を説明すると、まず図１−１（ａ）に示すように、手摺子２ｂの飾り６を取付けたい位置にスポンジシール２５を取付ける。次に、図１−１（ｂ）に示すように、ソケットレンチ等の工具を使用して連結部材３を手摺子２ｂに固定している六角ボルト４を外し、その後スペーサー２０を抜き取る。手摺材１が手摺子２ｂの軸心に対して内側に偏心していることで、六角ボルト４を外す際に手摺材１が邪魔にならず、六角ボルト４を上方にまっすぐ容易に抜き取ることができる。次に、連結部材３を手摺材１の連結ベース７に固定しているネジ５を緩めた上で、図１−１（ｃ）に示すように、連結部材３をネジ５を支点に回動させる。スペーサー２０を抜き取ることで、連結部材３の下面と手摺子２ｂ上面との間に隙間ができるため、連結部材３は手摺子２ｂと干渉することなく回動させられる。すると連結部材３が手摺子２ｂ上端部と分離するので、図１−２（ｄ）に示すように、この状態で飾り６を手摺子２ｂに上方から嵌める。図１−２（ｅ）に示すように、飾り６をスポンジシール２５を巻いた位置にスライドさせると、飾り６はスポンジシール２５によりその位置に保持されるので、飾り６のくびれ部２３に側方から止めネジ２６を挿入し、飾り６を固定する。そうして手摺子２ｂに飾り６を取付けたら、連結部材３とスペーサー２０を元に戻し、ネジ５と六角ボルト４を締め込んで再び固定する。
【００２２】
図５は、飾り６の取り付け方の他の例を示している。図５（ａ）は、１本おきの手摺子２ｂに飾り６を４つずつ取付けており、且つ手摺子２ｂの中間部に飾り６を上下に重ねて取付けている。図５（ｂ）では、飾り６を波状の模様を成すような配置で取付けている。このように、飾り６は住人の好みやセンスに応じて自由に取付けることができ、取付ける数は任意に選択でき、取付ける位置も手摺子２ｂの長手方向の任意の位置に取付けできる。  
【００２３】
以上に述べたように本手摺は、手摺子２ｂに飾り６を自由に取付けることができ、これにより多様なデザインを簡単に実現できる。しかも飾り６の取付けは、連結部材３を手摺子２ｂに固定している六角ボルト４を外し、連結部材３を回動させることにより、連結部材３が手摺材１と連結したままで手摺子２ｂ上端部から分離し、手摺子２ｂに上方から飾り６を嵌めることができるため、飾り６の取付け作業を誰にでも簡単に行うことができる。手摺材１が手摺子２ｂの軸心から内側にずれた位置にあるため、六角ボルト４を外したり手摺子２ｂに飾り６を嵌めたりするのが容易である。
【００２４】
図６は、本発明の手摺の他の実施形態であって、建物内の吹抜けに面した床２７の縁に設けられる落下防止用の手摺に適用した例を示している。連結部材３が、手摺材１の長手方向に直交する水平軸（ネジ５）で回動自在になっているため、本実施形態のように手摺材１を水平に架設する場合でも階段用のものと同一の連結部材３が使用でき、先に述べたのと同様の手順で手摺子２ｂに自由に飾り６を後付けし、デザインを変更することができる。なお、手摺子２ａ，２ｂや飾り６も階段用のものと同一のものを使用できる。
【００２５】
図７，８は、連結部材３の他の実施形態を示している。本実施形態では、連結部材３のアーム部１７が手摺材１に固定した連結ベース７に対して下方からのネジ５（請求項４中の「手摺子の軸心からずれた位置にある垂直な軸」に相当）で回動自在に連結してあり、手摺子２ｂに飾り６を嵌めるときは、六角ボルト４を外した上で、図８に示すように、連結部材３をネジ５を支点に回動させれば連結部材３が手摺子２ｂ上端部から分離するので、手摺子２ｂに上方から飾り６を簡単に嵌めることができる。本実施形態の場合は、スペーサー２０を抜き取らなくても連結部材３を回動させることができ、スペーサー２０を省略することもできる。
【００２６】
図９は、連結部材３のさらに別の実施形態を示している。本実施形態では、連結部材３のアーム部１７が手摺材１に固定した連結ベース７に対して、手摺材１の長手方向と平行な水平方向のネジ５（請求項５，６中の「手摺材１の長手方向と平行な軸」に相当）で回動自在に連結してある。ネジ５は、手摺子２ｂの軸心からずれた位置にある。手摺子２ｂに飾り６を嵌めるときは、六角ボルト４を外した上で、図９（ｂ）に示すように、連結部材３をネジ５を支点に上向きに回動させれば連結部材３が手摺子２ｂ上端部から分離し、手摺子２ｂに上方から飾り６を簡単に嵌めることができる。連結部材３の回動軸（ネジ５）が手摺子２ｂの軸心から外れた位置にあることで、スペーサー２０を抜き取らなくても連結部材３を回動させることができ、スペーサー２０を省略することもできる。また、連結ベース７の固定角度を変えることで、手摺材１の配置位置を内外方向に調節できる。
スペーサー２０を設ける場合は、連結部材３の回動軸（ネジ５）を手摺子２ｂの真上の位置に設けることもできる。
【００２７】
本発明は以上に述べた実施形態に限定されない。連結部材の具体的な形態や回動軸の向き等は、適宜変更することができる。また、手摺子や飾りの材質や形状等についても、適宜変更することができる。手摺材を手摺子の真上に配置することもできる。
【符号の説明】
【００２８】
１  手摺材
２ａ，２ｂ  手摺子  
３  連結部材
４  六角ボルト（固定部材）
５  ネジ（回動軸）
６  飾り
【図１−１】
2011202376.tif 000003
【図１−２】
2011202376.tif 000004
【図２】
2011202376.tif 000005
【図３】
2011202376.tif 000006
【図４】
2011202376.tif 000007
【図５】
2011202376.tif 000008
【図６】
2011202376.tif 000009
【図７】
2011202376.tif 000010
【図８】
2011202376.tif 000011
【図９】
2011202376.tif 000012